(57)【要約】【課題】複数の映像ソースと複数のモニタとを接続する場合に、配線数が少なく、映像ソースの切り替えを自由に行うことが可能になる映像選択器の提供。【解決手段】映像信号出力機器と接続する為の複数の入力コネクタ（図示せず）と、モニタと接続する為の複数の映像出力コネクタ（図示せず）と、入力コネクタに接続された映像信号出力機器から選択する選択手段２１，２３とを備え、選択手段２１，２３が選択した映像信号出力機器からの映像信号を、選択手段２１，２３が選択したモニタに出力する映像選択器。入力コネクタに接続された映像信号出力機器を接続する制御バス１５と、電源投入時及び制御バスへの接続状態が変化したときに、入力コネクタのそれぞれに何れの映像信号出力機器が接続されているかを認識する認識手段２０，２９と、認識手段２０，２９が認識した結果を記憶する記憶手段２０ａとを備える構成である。【選択図】　　　　図４
2004080116.tif 000002
【特許請求の範囲】
【請求項１】
音声信号を含む映像信号を出力する複数の映像信号出力機器とそれぞれ接続する為の複数の入力コネクタと、複数のモニタとそれぞれ接続する為の複数の映像出力コネクタと、複数の音声出力機器とそれぞれ接続する為の複数の音声出力コネクタと、前記入力コネクタに接続された映像信号出力機器、前記映像出力コネクタに接続されたモニタ、及び前記音声出力コネクタに接続された音声出力機器から、それぞれ１又は複数選択する選択手段とを備え、該選択手段が選択した映像信号出力機器からの映像信号を、該選択手段が選択したモニタに出力し、前記映像信号に含まれる音声信号を、前記選択手段が選択した音声出力機器に出力する映像選択器であって、
前記入力コネクタに接続された映像信号出力機器を接続する制御バスと、電源投入時及び該制御バスへの接続状態が変化したときに、前記入力コネクタのそれぞれに何れの映像信号出力機器が接続されているかを認識する認識手段と、該認識手段が認識した結果を記憶する記憶手段とを備え、前記選択手段は、該記憶手段が記憶する結果を参照して選択動作をすべくなしてあることを特徴とする映像選択器。
【請求項２】
前記選択手段は、前記結果を参照して、選択した映像信号出力機器が、映像信号に音声信号を含まないときは、音声出力機器を選択しないようになしてある請求項１記載の映像選択器。
【請求項３】
前記複数の入力コネクタは、同一構成である請求項１又は２記載の映像選択器。
【請求項４】
前記入力コネクタは、音声信号出力機器と接続可能であり、前記制御バスは、前記入力コネクタに接続された音声信号出力機器と接続し、前記認識手段は、前記入力コネクタに接続された音声信号出力機器を認識し、前記選択手段は、前記入力コネクタに接続された音声信号出力機器を選択することが可能であり、前記選択手段が選択した音声信号出力機器からの音声信号を、該選択手段が選択した音声出力機器に出力すべくなしてある請求項１乃至３の何れかに記載の映像選択器。
【請求項５】
前記記憶手段が記憶する結果に基づき、前記映像出力コネクタに接続されたモニタに、該モニタへの映像信号を出力する映像信号出力機器又はその他の映像信号出力機器についての文字信号又は画像信号を、前記映像信号に重畳させて出力する手段を更に備える請求項１乃至４の何れかに記載の映像選択器。
【発明の詳細な説明】
【０００１】
【発明の属する分野】
本発明は、複数の映像信号出力機器及び複数のモニタとそれぞれ接続し、接続した映像信号出力機器及びモニタからそれぞれ１又は複数を選択し、選択した映像信号出力機器からの映像信号を、選択したモニタに出力する為の映像選択器に関するものである。
【０００２】
【従来の技術】
近時、車両に搭載されたＡＶ（Ａｕｄｉｏ　Ｖｉｓｕａｌ）システムでは、ナビゲーション装置及びテレビジョンの他、ＤＶＤ（Ｄｉｇｉｔａｌ　Ｖｅｒｓａｔｉｌｅ　Ｄｉｓｃ）装値、ＤＶ（Ｄｉｇｉｔａｌ　Ｖｉｄｅｏ　）カメラ、ゲーム機等の映像ソースの増加が予想される。また、モニタ類も、センタコンソールに設置される他、後席用等複数のモニタが設置される車両が増加している。
モニタが前席用と後席用に複数設置されている場合、両方のモニタに同じ映像を表示させることもあるが、モニタ毎に異なる映像を表示させることもあり、その為に、上述したような複数の映像ソースと各モニタとを個別に接続する配線が必要である。また、音声信号用の配線についても、同様に個別の配線が必要である。
【０００３】
【発明が解決しようとする課題】
上述したように、複数の映像ソースと各モニタとを個別に接続した場合、配線数が多くなり、配線を収納する為のスペースに限りがある車両内では、収納し切れなくなる虞があるという問題がある。また、配線が複雑になり、配線作業も難しくなるという問題もある。
【０００４】
本発明は、上述したような事情に鑑みてなされたものであり、複数の映像ソースと複数のモニタとを接続する場合に、配線数が少なく、配線作業が簡単であり、映像ソースの切り替えを自由に行うことが可能になる映像選択器を提供することを目的とする。
【０００５】
【課題を解決するための手段】
第１発明に係る映像選択器は、音声信号を含む映像信号を出力する複数の映像信号出力機器とそれぞれ接続する為の複数の入力コネクタと、複数のモニタとそれぞれ接続する為の複数の映像出力コネクタと、複数の音声出力機器とそれぞれ接続する為の複数の音声出力コネクタと、前記入力コネクタに接続された映像信号出力機器、前記映像出力コネクタに接続されたモニタ、及び前記音声出力コネクタに接続された音声出力機器から、それぞれ１又は複数選択する選択手段とを備え、該選択手段が選択した映像信号出力機器からの映像信号を、該選択手段が選択したモニタに出力し、前記映像信号に含まれる音声信号を、前記選択手段が選択した音声出力機器に出力する映像選択器であって、前記入力コネクタに接続された映像信号出力機器を接続する制御バスと、電源投入時及び該制御バスへの接続状態が変化したときに、前記入力コネクタのそれぞれに何れの映像信号出力機器が接続されているかを認識する認識手段と、該認識手段が認識した結果を記憶する記憶手段とを備え、前記選択手段は、該記憶手段が記憶する結果を参照して選択動作をすべくなしてあることを特徴とする。
【０００６】
この映像選択器では、複数の入力コネクタが、音声信号を含む映像信号を出力する複数の映像信号出力機器とそれぞれ接続し、映像出力コネクタが、複数のモニタとそれぞれ接続し、音声出力コネクタが、複数の音声出力機器とそれぞれ接続する。選択手段が、入力コネクタに接続された映像信号出力機器、映像出力コネクタに接続されたモニタ、及び音声出力コネクタに接続された音声出力機器から、それぞれ１又は複数選択する。選択手段が選択した映像信号出力機器からの映像信号を、選択手段が選択したモニタに出力し、映像信号に含まれる音声信号を、選択手段が選択した音声出力機器に出力する。
【０００７】
この映像選択器では、また、制御バスが、入力コネクタに接続された映像信号出力機器を接続し、認識手段が、電源投入時及び制御バスへの接続状態が変化したときに、入力コネクタのそれぞれに何れの映像信号出力機器が接続されているかを認識する。記憶手段は、認識手段が認識した結果を記憶し、選択手段は、記憶手段が記憶する結果を参照して選択動作をする。
これにより、複数の映像ソースと複数のモニタとを接続する場合に、配線数が少なく、配線作業が簡単であり、映像ソースの切り替えを自由に行うことが可能になる映像選択器を実現することが出来る。
【０００８】
第２発明に係る映像選択器は、前記選択手段は、前記結果を参照して、選択した映像信号出力機器が、映像信号に音声信号を含まないときは、音声出力機器を選択しないようになしてあることを特徴とする。
【０００９】
この映像選択器では、選択手段は、認識手段が認識した結果を参照して、選択した映像信号出力機器が、映像信号に音声信号を含まないときは、音声出力機器を選択しない。
これにより、音声信号を含まない映像信号をモニタに表示しているときは、オーディオ機器からの音声を出力することが可能であり、複数の映像ソースと複数のモニタとを接続する場合に、配線数が少なく、配線作業が簡単であり、映像ソースの切り替えを自由に行うことが可能な映像選択器を実現することが出来る。
【００１０】
第３発明に係る映像選択器は、前記複数の入力コネクタは、同一構成であることを特徴とする。
【００１１】
この映像選択器では、複数の入力コネクタが、同一構成であるので、複数の映像ソースと複数のモニタとを接続する場合に、配線数が少なく、映像ソースを何れの入力コネクタにも接続可能であり、配線作業が簡単であり、映像ソースの切り替えを自由に行うことが可能な映像選択器を実現することが出来る。
【００１２】
第４発明に係る映像選択器は、前記入力コネクタは、音声信号出力機器と接続可能であり、前記制御バスは、前記入力コネクタに接続された音声信号出力機器と接続し、前記認識手段は、前記入力コネクタに接続された音声信号出力機器を認識し、前記選択手段は、前記入力コネクタに接続された音声信号出力機器を選択することが可能であり、前記選択手段が選択した音声信号出力機器からの音声信号を、該選択手段が選択した音声出力機器に出力すべくなしてあることを特徴とする。
【００１３】
この映像選択器では、入力コネクタは、音声信号出力機器と接続可能であり、制御バスは、入力コネクタに接続された音声信号出力機器と接続する。認識手段は、入力コネクタに接続された音声信号出力機器を認識し、選択手段は、入力コネクタに接続された音声信号出力機器を選択することが可能である。選択手段が選択した音声信号出力機器からの音声信号を、選択手段が選択した音声出力機器に出力する。
これにより、複数の映像ソース又は音声ソースと複数のモニタ又は音声出力機器とを接続する場合に、配線数が少なく、配線作業が簡単であり、映像ソース及び音声ソースの切り替えを自由に行うことが可能な映像選択器を実現することが出来る。
【００１４】
第５発明に係る映像選択器は、前記記憶手段が記憶する結果に基づき、前記映像出力コネクタに接続されたモニタに、該モニタへの映像信号を出力する映像信号出力機器又はその他の映像信号出力機器についての文字信号又は画像信号を、前記映像信号に重畳させて出力する手段を更に備えることを特徴とする。
【００１５】
この映像選択器では、出力する手段が、記憶手段が記憶する結果に基づき、映像出力コネクタに接続されたモニタに、このモニタへの映像信号を出力する映像信号出力機器又はその他の映像信号出力機器についての文字信号又は画像信号を、映像信号に重畳させて出力する。
これにより、複数の映像ソースと複数のモニタとを接続する場合に、配線数が少なく、配線作業が簡単であり、映像ソースの切り替えを自由に行うことが可能であり、映像ソースを選択する為のスーパ画面を、モニタに表示可能な映像選択器を実現することが出来る。
【００１６】
【発明の実施の形態】
以下に、本発明を、その実施の形態を示す図面に基づき説明する。
図１は、本発明に係る映像選択器の実施の形態であるハブユニットを含む車載ＡＶ（Ａｕｄｉｏ　Ｖｉｓｕａｌ）システムの接続構成例を示すブロック図である。この車両内に設置される車載ＡＶシステムは、車両の現在位置情報、地図情報及び車両情報を表示するナビゲーション装置９の他、ＤＶＤ（Ｄｉｇｉｔａｌ　Ｖｅｒｓａｔｉｌｅ　Ｄｉｓｃ）装値１０、テレビジョンチューナ１１、車両の後方を撮影するバックカメラ１３及び補助機器１２等の映像信号出力機器が、信号線及び後述する制御バス１５によりそれぞれハブユニット１に接続されている。
【００１７】
この車載ＡＶシステムは、また、カセットデッキ、ＣＤ（Ｃｏｎｐａｃｔ　Ｄｉｓｃ）デッキ等のオーディオ機器８（音声信号出力機器）が、信号線及び後述する制御バス１５によりハブユニット１に接続されている。尚、上述した各機器とハブユニット１とを接続する信号線及び制御バス１５は、各機器毎に１本に纏めて図示している。
この車載ＡＶシステムは、また、前席用のモニタ４及び後席用のモニタ２が、信号線によりハブユニット１に接続され、前部スピーカ６及び後部スピーカ７（音声出力機器）が、それぞれのアンプを介して信号線によりハブユニット１に接続されている。前部スピーカ６及び後部スピーカ７は、それぞれ１つを図示しているが、実際にはそれぞれ複数である。
【００１８】
この車載ＡＶシステムは、また、上述した接続構成の他、前部スピーカ６及び後部スピーカ７を除く各機器が、ＣＡＮ等の制御バス１５により接続されており、制御バス１５には、スイッチ情報、コマンド及び制御情報（信号）が伝送される。制御バス１５には、また、前席用の操作スイッチからなるコントローラ５、及び後席用の操作スイッチからなるコントローラ３が接続されている。後席用のコントローラ３には、受光部３ａが設けられ、リモ−トコントローラ１４からの操作信号を受け付ける。
【００１９】
ハブユニット１には、各信号線を通じて、ナビゲーション装置９、ＤＶＤ装値１０及びテレビジョンチューナ１１からの各映像信号及びそれに含まれる音声信号と、バックカメラ１３からの映像信号と、オーディオ機器８からの音声信号とが、一旦入力される。ハブユニット１は、入力された各映像信号の中から、コントローラ３からの制御信号により１つを選択し、後席用のモニタ２へ出力する。同様に、コントローラ５からの制御信号により１つを選択し、前席用のモニタ４へ出力する。
ハブユニット１は、一方、後席用のモニタ２へ出力する映像信号に含まれる音声信号を、後部スピーカ７へ出力し、前席用のモニタ４へ出力する映像信号に含まれる音声信号を、前部スピーカ６へ出力する。
【００２０】
図２は、ハブユニット１の外観例を示す斜視図である。（ａ）は、入力コネクタ３１が設けられた側を示し、（ｂ）は、出力コネクタ３２が設けられた側を示す。
ハブユニット１の一方の側面には、入力コネクタ３１が６個並設されており、同じ側面には、電源入力用コネクタ３０も設けられている。
ハブユニット１の他方の側面には、出力コネクタ３２（映像出力コネクタ）が２個と音声出力コネクタ３３とが並設されている。
【００２１】
各入力コネクタ３１の端子構成は、図３に示すように、２列になっており、一方の列には、映像信号Ｒ（Ｒｅｄ　）用端子、映像信号Ｇ（Ｇｒｅｅｎ　）用端子、映像同期信号ＳＹＮＣ用端子、負側左音声信号Ｌ−用端子，負側右音声信号Ｒ−用端子，制御信号ＣＯＮＴ用端子及び電源用端子が設けられている。他方の列には、映像信号Ｂ（Ｂｌｕｅ）用端子、接地ＧＮＤ用端子、接地ＧＮＤ用端子、正側左音声信号Ｌ＋用端子，正側右音声信号Ｒ＋用端子，接地ＧＮＤ用端子及び接地ＧＮＤ用端子が設けられている。
【００２２】
図４は、ハブユニット１の内部構成例を示すブロック図である。ハブユニット１は、６種類の映像信号（ビデオ入力１〜６）が、ビデオスイッチ２１，２３にそれぞれ入力可能である。ビデオスイッチ２１により選択された映像信号は、ス−パ生成部２２を通じて、前席用のモニタ４へ出力され、ビデオスイッチ２３により選択された映像信号は、ス−パ生成部２４を通じて、後席用のモニタ２へ出力される。
【００２３】
ハブユニット１は、また、左右別の６種類の音声信号を入力することが可能であり、左側の６種類の音声信号は、アナログスイッチ２５，２６にそれぞれ入力される。アナログスイッチ２５により選択された音声信号は、前部オーディオ信号（Ｌ）として出力され、アナログスイッチ２６により選択された音声信号は、後部オーディオ信号（Ｌ）として出力される。右側の６種類の音声信号は、アナログスイッチ２７，２８にそれぞれ入力される。アナログスイッチ２７により選択された音声信号は、前部オーディオ信号（Ｒ）として出力され、アナログスイッチ２８により選択された音声信号は、後部オーディオ信号（Ｒ）として出力される。
【００２４】
各入力コネクタ３１の制御信号ＣＯＮＴ用端子と、各出力コネクタ３２の各制御信号用端子（図示せず）とは制御バス１５に接続され、制御バス１５は、途中にバススイッチ部２９が設けられている。各端子と制御バス１５とは、通常、共通接続されているが、電源投入時及び制御バス１５への接続状態が変化したとき（バスリセット時）には、後述するＣＰＵ２０からの指示信号により、バススイッチ部２９が、制御バス１５と各入力コネクタ３１の制御信号ＣＯＮＴ用端子の何れかとのみ順次接続させる。但し、制御バス１５は、ＣＰＵ２０、モニタ２，４及びコントローラ３，５とは常時接続されている。
モニタ２，４及びコントローラ３，５の各組み合わせは、それぞれ同じ出力コネクタ３２によりハブユニット１に接続される。
【００２５】
上述したビデオスイッチ２１，２３、ス−パ生成部２２，２４、アナログスイッチ２５，２６，２７，２８及びバススイッチ部２９は、ＣＰＵ２０と、制御バス１５とは別の制御バスによりそれぞれ接続され、ＣＰＵ２０からそれぞれ制御される。
ＣＰＵ２０は、入力コネクタ３１のそれぞれに何れの映像信号出力機器又は音声信号出力機器が接続されているかを記憶する為のメモリ２０ａを内蔵している。
【００２６】
以下に、このような構成のハブユニット１の動作を、それを示す図５，６のフローチャートを参照しながら説明する。
図５は、ハブユニット１の接続確認動作を示すフローチャートである。
ハブユニット１のＣＰＵ２０は、電源投入時及び制御バス１５への接続状態が変化したとき（バスリセット時）、６個の入力コネクタ３１については、バススイッチ部２９に、制御信号ＣＯＮＴ用端子の内の１番（バス入力１）のみオンさせて、制御バス１５に接続させる（Ｓ１）。
【００２７】
次に、ＣＰＵ２０は、入力コネクタ３１の（制御信号ＣＯＮＴ用端子の）１番に接続された映像信号出力機器又は音声信号出力機器からの応答を受け付ける接続確認処理を行い（Ｓ２）、応答が有れば（Ｓ３）、応答内容をメモリ２０ａに記憶して、入力コネクタ３１の１番に接続された機器を認識する（Ｓ４）。
ＣＰＵ２０は、入力コネクタ３１の１番に接続された機器からの応答が無ければ（Ｓ３）、入力コネクタ３１の１番に接続された機器がないことを認識して、メモリ２０ａに記憶する（Ｓ９）。
【００２８】
次に、ＣＰＵ２０は、バススイッチ部２９に、６個の入力コネクタ３１の制御信号ＣＯＮＴ用端子の内の２番（バス入力２）のみオンさせて、制御バス１５に接続させる（Ｓ５）。
次に、ＣＰＵ２０は、入力コネクタ３１の（制御信号ＣＯＮＴ用端子の）２番に接続された映像信号出力機器又は音声信号出力機器からの応答を受け付ける接続確認処理を行い（Ｓ６）、応答が有れば（Ｓ７）、応答内容をメモリ２０ａに記憶して、入力コネクタ３１の２番に接続された機器を認識する（Ｓ８）。
【００２９】
ＣＰＵ２０は、入力コネクタ３１の２番に接続された機器からの応答が無ければ（Ｓ７）、入力コネクタ３１の２番に接続された機器がないことを認識して、メモリ２０ａに記憶する（Ｓ１０）。
以下、ＣＰＵ２０は、入力コネクタ３１の６番迄、同様の接続確認動作（Ｓ１１〜１５）を行いリターンする。
ＣＰＵ２０は、入力コネクタ３１の接続確認動作が終了すると、バススイッチ部２９に指示して、各入力コネクタ３１の制御信号ＣＯＮＴ用端子を制御バス１５に接続させる。
【００３０】
図６は、ハブユニット１の選択動作の１例として、後席用のモニタ２の映像切り替え動作を示すフローチャートである。
ハブユニット１のＣＰＵ２０は、後席用のコントローラ３の操作スイッチが操作されると（Ｓ２０）、制御バス１５による通信により、その操作スイッチの操作情報を受信する（Ｓ２１）。
ＣＰＵ２０は、次に、後席用のスーパ生成部１４に、映像信号出力機器を選択する為のスイッチ画面信号を、映像信号に重畳させて出力させ、モニタ２に表示させる（Ｓ２２）。
【００３１】
ＣＰＵ２０は、この状態で、コントローラ３の操作スイッチにより選択された映像信号出力機器についてのスイッチ画面信号に、スイッチ用の制御バス通信により、スーパ生成部１４に切り替えさせる（Ｓ２３）。
ＣＰＵ２０は、コントローラ３の操作スイッチにより映像信号出力機器を決定する操作が行われると（Ｓ２４）、ビデオスイッチ２３にその映像信号出力機器に切り替え選択させる（Ｓ２５）。また、選択させた映像信号出力機器が音声信号を出力するか否かを、メモリ２０ａを参照することにより判定し、映像信号出力機器が音声信号を出力する機器である場合は、その映像信号出力機器をアナログスイッチ２６，２８に選択させリターンする。その映像信号出力機器が音声信号を出力しない機器である場合は、その映像信号出力機器をアナログスイッチ２６，２８に選択させずにリターンする。
【００３２】
以上により、例えば、後席用のコントローラ３の操作スイッチの操作に基づく制御バス信号の授受により、後席用の音声ソース・映像ソースが選択されると、ビデオスイッチ２３によりその映像ソースが選択され、その映像信号が後席用モニタ２に出力される。また、アナログスイッチ２６，２８によりその音声ソースが選択され、後部スピーカ７に出力される。前席用のコントローラ５についても、同様に、ビデオスイッチ２１びアナログスイッチ２５，２７により選択された映像ソース及び音声ソースが、前席用モニタ４及び前部スピーカ６に出力される。
【００３３】
例えば、前席用モニタ４にナビゲーション装置９の画面を、後席用モニタ２にテレビジョン画面をそれぞれ表示させている場合、後席用のコントローラ３からＤＶＤ装置１０が選択されると、前席用モニタ４のみＤＶＤ装置１０に切り替えることが出来る。また、前席用モニタ４の表示、ナビゲーション装置９の画面選択、ルート計算及び情報表示も、後席用のコントローラ３から切り替え操作することが出来る。
【００３４】
また、ナビゲーション装置の音声案内を出力するときは、ナビゲーション装置９から制御バス１５を通じて、コマンドが送信され、ハブユニット１が了解の応答を返信した後、ハブユニット１のアナログスイッチ２５〜２８がナビゲーション装置９を選択することにより、ナビゲーション装置の音声が出力される。出力するスピーカは、任意に設定することも可能である。
【００３５】
また、選択されているソースが何かを示す情報、チャンネル表示情報、スイッチ表示補助情報及びバックカメラ１３の距離線情報を、ハブユニット１のスーパ生成部２２，２４により生成させ、モニタ２，４に表示中の画面に重ねて表示させる。
また、制御バス１５、映像信号線、音声信号線及び電源線の為の各端子を，入力コネクタ３１に纏めてあるので、機器追加に伴う配線作業は１本のみで良く、また、空きの入力コネクタ３１であれば、何れに接続することも可能である。従って、ユーザは、自由に接続機器を選択して、取り付け位置の制約を受けることなく、比較的簡単に取り付けることが出来る。
【００３６】
【発明の効果】
第１発明に係る映像選択器によれば、複数の映像ソースと複数のモニタとを接続する場合に、配線数が少なく、配線作業が簡単であり、映像ソースの切り替えを自由に行うことが可能になる映像選択器を実現することが出来る。
【００３７】
第２発明に係る映像選択器によれば、音声信号を含まない映像信号をモニタに表示しているときは、オーディオ機器からの音声を出力することが可能であり、複数の映像ソースと複数のモニタとを接続する場合に、配線数が少なく、配線作業が簡単であり、映像ソースの切り替えを自由に行うことが可能な映像選択器を実現することが出来る。
【００３８】
第３発明に係る映像選択器によれば、複数の映像ソースと複数のモニタとを接続する場合に、配線数が少なく、映像ソースを何れの入力コネクタにも接続可能であり、配線作業が簡単であり、映像ソースの切り替えを自由に行うことが可能な映像選択器を実現することが出来る。
【００３９】
第４発明に係る映像選択器によれば、複数の映像ソース又は音声ソースと複数のモニタ又は音声出力機器とを接続する場合に、配線数が少なく、配線作業が簡単であり、映像ソース及び音声ソースの切り替えを自由に行うことが可能な映像選択器を実現することが出来る。
【００４０】
第５発明に係る映像選択器によれば、複数の映像ソースと複数のモニタとを接続する場合に、配線数が少なく、配線作業が簡単であり、映像ソースの切り替えを自由に行うことが可能であり、映像ソースを選択する為のスーパ画面を、モニタに表示可能な映像選択器を実現することが出来る。
【図面の簡単な説明】
【図１】本発明に係る映像選択器の実施の形態であるハブユニットを含む車載ＡＶシステムの接続構成例を示すブロック図である。
【図２】ハブユニットの外観例を示す斜視図である。
【図３】入力コネクタの端子構成例を示す説明図である。
【図４】ハブユニットの内部構成例を示すブロック図である。
【図５】ハブユニットの接続確認動作を示すフローチャートである。
【図６】ハブユニットの後席用のモニタの映像切り替え動作を示すフローチャートである。
【符号の説明】
１　ハブユニット（映像選択器）
２，４　モニタ
３，５　コントローラ
６，７　スピーカ（音声出力機器）
８　オーディオ機器（音声信号出力機器）
９　ナビゲーション装置（映像信号出力機器）
１０　ＤＶＤ装置（映像信号出力機器）
１１　テレビジョンチューナ（映像信号出力機器）
１３　バックカメラ（映像信号出力機器）
１５　制御バス
２０　ＣＰＵ（認識手段）
２０ａ　メモリ（記憶手段）
２１，２３　ビデオスイッチ（選択手段）
２２，２４　ス−パ生成部（重畳させて出力する手段）
２５，２６，２７，２８　アナログスイッチ（選択手段）
２９　バススイッチ部（認識手段）
３１　入力コネクタ
３２　出力コネクタ（映像出力コネクタ）
３３　音声出力コネクタ
【図１】
2004080116.tif 000003
【図２】
2004080116.tif 000004
【図３】
2004080116.tif 000005
【図４】
2004080116.tif 000006
【図５】
2004080116.tif 000007
【図６】
2004080116.tif 000008